(57)【特許請求の範囲】
【請求項１】
第１カム筒と、
前記第１カム筒の内周側で前記第１カム筒に対して回転しながら光軸方向に移動する第２カム筒と、
前記第２カム筒の回転により、前記第２カム筒の内周部に形成されたカム溝に追従して光軸方向に移動するレンズユニットと、
前記第１カム筒に係合して回転が規制された状態で前記第２カム筒とともに光軸方向に移動可能に設けられ、光軸方向に移動する前記レンズユニットの回転を規制する直進部材と、
前記第１カム筒の前記レンズユニットの像面側の内周部において前記第１カム筒の像面側の端面から突出しない範囲で光軸方向に移動可能に配置され、前記レンズユニットを通過した被写体像を光電変換する撮像素子を保持する保持枠と、
前記レンズユニットと前記保持枠との間に配置され、前記第１カム筒に対して光軸方向の被写体側が当接した状態で回転が可能に設けられる駆動リングと、
前記第１カム筒及び前記保持枠を互いに前記駆動リングを挟持する方向に付勢する付勢部材と、
前記駆動リングを駆動する駆動手段と、
前記駆動リングと前記保持枠との間に設けられ、前記駆動リングの回転によるカム作用により前記保持枠を光軸方向に移動させることで、前記撮像素子を光軸方向に移動させて合焦動作を行うカム手段と、を備え、
前記直進部材は、前記レンズユニットが沈胴位置に繰り込まれる際に、前記保持枠が被写体側に繰り出した状態で前記付勢部材の付勢力に抗して前記駆動リングを前記保持枠とともに前記第１カム筒の像面側の端面から前記保持枠が突出しない範囲で像面側に押し込み、
前記撮像素子は、前記撮像素子が固定される素子プレートを介して傾き調整用の複数の調整ねじにより前記保持枠に締結され、
前記保持枠は、前記調整ねじにより光軸に対する傾き調整が完了した前記撮像素子を保持した状態で光軸方向に移動することを特徴とするレンズ鏡筒。
【請求項２】
前記駆動手段は、ステッピングモータで構成され、前記第１カム筒と前記駆動リングとの間には、前記撮像装置の電源がオフされたときに、前記ステッピングモータにおける前記合焦動作のリセット処理を行うための検出手段が設けられていることを特徴とする請求項１に記載のレンズ鏡筒。
【請求項３】
前記カム手段は、前記駆動リングの前記保持枠の側を向く面に周方向に等間隔で複数のカ所に形成されたカム部と、前記保持枠に形成されて、前記複数のカム部にそれぞれカム係合する係合凸部と、を備えることを特徴とする請求項１又は２に記載のレンズ鏡筒。
【請求項４】
前記カム部は、前記駆動リングの周方向に沿って延びる円弧形状をなし、円弧形状の周方向の一端側の第１の面に対して他端側の第２の面が前記保持枠の側に接近して配置され、前記第１の面と前記第２の面とが斜面で接続されることを特徴とする請求項３に記載のレンズ鏡筒。
【請求項５】
前記駆動手段は、前記撮像装置の電源がオフされたとき、前記レンズユニットが沈胴位置に繰り込まれる前に、前記保持枠を最も被写体側に繰り出した位置に移動させるように前記駆動リングを回転させることを特徴とする請求項１乃至４のいずれか一項に記載のレンズ鏡筒。
【発明の詳細な説明】
【技術分野】
【０００１】
本発明は、例えばデジタルカメラ等の撮像装置に搭載されるレンズ鏡筒に関する。
【背景技術】
【０００２】
デジタルカメラ等に搭載されるレンズ鏡筒では、モータとギア列による減速機構によってカム筒を回転させることで、カム筒にカム係合するレンズユニットを光軸方向に移動させて繰り出し／繰り込み動作を行うものがある。
【０００３】
また、例えば、フォーカスレンズを持たない単焦点式のレンズ鏡筒等では、被写体を撮影する際に、上述した減速機構によってレンズユニットを光軸方向に移動させて合焦動作を行うものがある。
【０００４】
しかし、減速機構のモータの回転速度はギア列によって大きく減速されており、合焦動作の際には、複数のギアのバックラッシによる精度誤差を取り除く為にレンズユニットの片寄せ動作量を大きくとる必要がある。このため、合焦動作時の液晶表示部での画像の見栄えが悪くなる。
【０００５】
一方、レンズユニットに対して撮像素子を光軸方向に移動させることで、合焦動作を行うレンズ鏡筒が提案されている（特許文献１）。
【０００６】
この提案では、レンズユニットを駆動する減速機構とは異なる駆動機構を用いて撮像素子を光軸方向に移動させるため、合焦動作時の片寄せ動作量が小さくてすみ、合焦動作時の液晶表示部での画像の見栄えを良くすることが可能となる。
【先行技術文献】
【特許文献】
【０００７】
【特許文献１】特開２０００−３５００８３号公報
【発明の概要】
【発明が解決しようとする課題】
【０００８】
しかし、上記特許文献１では、モータにより送りねじ軸を回転駆動することで撮像素子を保持する保持体を２本のガイドバーに沿って光軸方向に移動させるため、駆動機構の構造が複雑となり、レンズ鏡筒の小型化を妨げる原因になる。
【０００９】
そこで、本発明は、合焦動作時の表示部での画像の見栄えを良くすることができるとともに、レンズ鏡筒の小型化を図ることができる仕組みを提供することを目的とする。
【課題を解決するための手段】
【００１０】
上記目的を達成するために、本発明のレンズ鏡筒は、第１カム筒と、前記第１カム筒の内周側で前記第１カム筒に対して回転しながら光軸方向に移動する第２カム筒と、前記第２カム筒の回転により、前記第２カム筒の内周部に形成されたカム溝に追従して光軸方向に移動するレンズユニットと、前記第１カム筒に係合して回転が規制された状態で前記第２カム筒とともに光軸方向に移動可能に設けられ、光軸方向に移動する前記レンズユニットの回転を規制する直進部材と、前記第１カム筒の前記レンズユニットの像面側の内周部において前記第１カム筒の像面側の端面から突出しない範囲で光軸方向に移動可能に配置され、前記レンズユニットを通過した被写体像を光電変換する撮像素子を保持する保持枠と、前記レンズユニットと前記保持枠との間に配置され、前記第１カム筒に対して光軸方向の被写体側が当接した状態で回転が可能に設けられる駆動リングと、前記第１カム筒及び前記保持枠を互いに前記駆動リングを挟持する方向に付勢する付勢部材と、前記駆動リングを駆動する駆動手段と、前記駆動リングと前記保持枠との間に設けられ、前記駆動リングの回転によるカム作用により前記保持枠を光軸方向に移動させることで、前記撮像素子を光軸方向に移動させて合焦動作を行うカム手段と、を備え、前記直進部材は、前記レンズユニットが沈胴位置に繰り込まれる際に、前記保持枠が被写体側に繰り出した状態で前記付勢部材の付勢力に抗して前記駆動リングを前記保持枠とともに前記第１カム筒の像面側の端面から前記保持枠が突出しない範囲で像面側に押し込み、前記撮像素子は、前記撮像素子が固定される素子プレートを介して傾き調整用の複数の調整ねじにより前記保持枠に締結され、前記保持枠は、前記調整ねじにより光軸に対する傾き調整が完了した前記撮像素子を保持した状態で光軸方向に移動することを特徴とする。
【発明の効果】
【００１１】
本発明によれば、合焦動作時の表示部での画像の見栄えを良くすることができるとともに、レンズ鏡筒の小型化を図ることができる。
【図面の簡単な説明】
【００１２】
【図１】本発明の実施形態の一例である単焦点式のレンズ鏡筒の沈胴位置での断面図である。
【図２】図１に示すレンズ鏡筒のワイド位置での断面図である。
【図３】図１に示すレンズ鏡筒の分解斜視図である。
【図４】固定カム筒の内周側の展開図である。
【図５】撮像素子ユニットの分解斜視図である。
【図６】撮像素子ユニット、固定カム筒、及び駆動リングの分解斜視図である。
【図７】撮像素子ユニット、固定カム筒、及び駆動リングの組立体を撮像素子ユニット側から光軸方向に見た図である。
【図８】（ａ）は駆動リングの斜視図、（ｂ）は（ａ）に示す駆動リングを背面側から見た斜視図である。
【図９】保持枠の斜視図である。
【図１０】引っ張りばねにより駆動リングが固定カム筒側に付勢されている状態の要部断面図である。
【図１１】保持枠の凸球状部が駆動リングのフェースカム部の撮像素子側の端面に当接している状態を示す要部断面図である。
【図１２】レンズ鏡筒の繰り込み動作の途中で、直進ガイドプレートが駆動リングの凸部に当接した状態を示す要部断面図である。
【図１３】保持枠が固定カム筒の端面まで到達してレンズ鏡筒の繰り込み動作が完了した状態を示す要部断面図である。
【図１４】（ａ）は、レンズ鏡筒の撮影状態において、保持枠の凸球状部が駆動リングのフェースカム部の撮像素子側の面に当接している状態を示す要部断面図である。（ｂ）は、レンズ鏡筒の沈胴状態において、保持枠の凸球状部が駆動リングのフェースカム部の被写体側の面に当接している状態を示す要部断面図である。
【発明を実施するための形態】
【００１３】
以下、本発明の実施形態の一例を図面を参照して説明する。
【００１４】
図１は本発明の実施形態の一例である単焦点式のレンズ鏡筒の沈胴位置での断面図、図２は図１に示すレンズ鏡筒のワイド位置での断面図、図３は図１に示すレンズ鏡筒の分解斜視図、図４は固定カム筒の内周側の展開図である。
【００１５】
図１〜図３に示すように、本実施形態におけるレンズ鏡筒は、固定カム筒２０６、移動カム筒２０４、１群鏡筒２０１、２群鏡筒２０３、絞り・シャッタユニット２０２、及び撮像素子ユニット１００を備える。１群鏡筒２０１は、レンズユニット１０１を保持し、２群鏡筒２０３は、レンズユニット１０２，１０３を保持する。
【００１６】
固定カム筒２０６の内周部には、図４に示すように、カム溝２０６ａ及び直進ガイド溝２０６ｂが周方向に略等間隔で３カ所設けられている。固定カム筒２０６の内周側には、移動カム筒２０４が配置される。
【００１７】
移動カム筒２０４の外周部には、固定カム筒２０６のカム溝２０６ａにカム係合するフォロワピン２０４ａが設けられている。また、移動カム筒２０４の外周部には、不図示のギア部が設けられ、不図示のモータからギア列を介してギア部に駆動力が伝達されることで、移動カム筒２０４は、フォロワピン２０４ａとカム溝２０６ａとのカム作用により回転しながら光軸方向に移動する。
【００１８】
移動カム筒２０４の内周部には、１群鏡筒２０１、２群鏡筒２０３、及び絞り・シャッタユニット２０２を光軸方向に移動させるための３種類のカム溝（不図示）が周方向に略等間隔で３カ所形成されている。また、移動カム筒２０４の内周部には、直進ガイドプレート２０５が、移動カム筒２０４に対して回転方向に摺動可能にバヨネット結合されている。
【００１９】
直進ガイドプレート２０５の外周部には、不図示の直進ガイドキーが周方向に略等間隔で３カ所形成されている。この直進ガイドキーが固定カム筒２０６の直進ガイド溝２０６ｂに係合することで、直進ガイドプレート２０５は、光軸方向へ移動する際に回転が規制される。これにより、移動カム筒２０４が回転しながら光軸方向に移動すると、直進ガイドプレート２０５は、回転が規制された状態で移動カム筒２０４と共に光軸方向に直進移動する。
【００２０】
また、直進ガイドプレート２０５には、１群鏡筒２０１、２群鏡筒２０３、及び絞り・シャッタユニット２０２が光軸方向に移動する際に回転を規制する２本の直進ガイドキー２０５ａが光軸方向に突出して設けられている。
【００２１】
ここで、１群鏡筒２０１、２群鏡筒２０３、及び絞り・シャッタユニット２０２のそれぞれに設けられた不図示のフォロワピンが移動カム筒２０４の不図示のカム溝に係合する。また、１群鏡筒２０１、２群鏡筒２０３、及び絞り・シャッタユニット２０２のそれぞれに設けられた不図示の切欠き部が直進ガイドプレート２０５の直進ガイドキー２０５ａと係合する。
【００２２】
そして、移動カム筒２０４が回転しながら光軸方向に移動すると、１群鏡筒２０１、２群鏡筒２０３、及び絞り・シャッタユニット２０２は、それぞれのフォロワピンが移動カム筒２０４のカム溝に倣って光軸方向に直進移動する。
【００２３】
次に、図５〜図７を参照して、撮像素子ユニット１００について説明する。
【００２４】
図５は撮像素子ユニット１００の分解斜視図、図６は撮像素子ユニット１００、固定カム筒２０６、及び駆動リング２０７の分解斜視図である。図７は、撮像素子ユニット１００、固定カム筒２０６、及び駆動リング２０７の組立体を撮像素子ユニット１００側から光軸方向に見た図である。なお、図５では、撮像素子ユニット１００の他に固定カム筒２０６、及び駆動リング２０７も図示してある。
【００２５】
図５及び図６に示すように、撮像素子ユニット１００は、ローパスフィルタ３０２、及び撮像素子１０４等を保持する保持枠３０１を備える。撮像素子１０４は、ＣＣＤセンサやＣＭＯＳセンサ等で構成され、素子プレート３０４に接着等で一体に固定されて、レンズユニット１０１〜１０３を通過した被写体像を光電変換する。
【００２６】
ローパスフィルタ３０２は、シリコン素材等の弾性部材３０３を介して保持枠３０１に押し付けられ、この状態で弾性部材３０３を押し付けるように素子プレート３０４の穴部を保持枠３０１の軸部に嵌合されて撮像素子１０４が位置決めされる。
【００２７】
次に、この状態で、素子プレート３０４と保持枠３０１との間に配置された複数の圧縮ばね３０８の付勢力に抗して素子プレート３０４の３カ所の穴部にそれぞれ挿入した傾き調整用の調整ねじ３０５を保持枠３０１に締め付ける。
【００２８】
これにより、素子プレート３０４が保持枠３０１に締結されて撮像素子ユニット１００の組立が完了し、固定カム筒２０６に駆動リング２０７及び撮像素子ユニット１００を組み付けることで、図７の状態となる。
【００２９】
そして、３本の調整ねじ３０５の保持枠３０１に対するねじ込み量を適宜調整することで、撮像素子１０４の光軸に対する傾き調整が可能となる。
【００３０】
次に、被写体の撮影時に撮像素子ユニット１００をレンズユニット１０１〜１０３に対して光軸方向に移動させて合焦動作を行う駆動機構について説明する。
【００３１】
合焦動作は、撮像素子ユニット１００、固定カム筒２０６、及び駆動リング２０７によって行われる。
【００３２】
図８（ａ）は駆動リング２０７の斜視図、図８（ｂ）は図８（ａ）に示す駆動リング２０７を背面側から見た斜視図、図９は保持枠３０１の斜視図である。
【００３３】
図８に示すように、駆動リング２０７の外周部には、径方向外方に突出する凸部２０７ａが周方向に略等間隔で６カ所設けられており、凸部２０７ａは、固定カム筒２０６の内周面に対して回転方向に摺動可能に嵌合される。また、駆動リング２０７の外周部には、ギア２０７ｄが形成されている。
【００３４】
駆動リング２０７の固定カム筒２０６側を向く面には、固定カム筒２０６の端面より被写体側に配置された当接面２０６ｆに対して回転方向に摺動する摺動部２０７ｂが周方向に略等間隔で６カ所設けられている。
【００３５】
また、駆動リング２０７の摺動部２０７ｂの径方向内側には、被写体側に突出する凸部２０６ｃが摺動部２０７ｂと同位相で周方向に略等間隔で６カ所設けられている。
【００３６】
一方、駆動リング２０７の撮像素子ユニット１００側を向く面には、フェースカム部２０７ｅが周方向に略等間隔で３カ所形成されている。
【００３７】
フェースカム部２０７ｅは、駆動リング２０７の周方向に沿って延びる円弧形状をなしおり、円弧形状の周方向の一端側の面２０７ｅ１に対して他端側の面２０７ｅ２が撮像素子ユニット１００側に接近して配置されている。そして、面２０７ｅ１と面２０７ｅ２とは、斜面で接続されている（図１４参照）。ここで、面２０７ｅ１は、本発明の第１の面の一例に相当し、面２０７ｅ２は、本発明の第２の面の一例に相当する。
【００３８】
図９に示すように、保持枠３０１の外周部には、径方向外方に突出するフック部３０１ａが周方向に略等間隔で３カ所設けられている。また、保持枠３０１の外周部には、径方向外方に突出するフランジ３０１ｅ，３０１ｆが周方向に互いに略１８０°離間して設けられている。フランジ部３０１ｅには、円形状の穴部３０１ｂが形成され、フランジ部３０１ｆには、保持枠３０１の径方向に長い長穴部３０１ｃが形成されている。
【００３９】
更に、図６に示すように、固定カム筒２０６には、切欠き部２０６ｇが設けられており、切欠き部２０６ｇには、フォトリフレクタ３０９が接着等により固定されている。また、駆動リング２０７にも、切欠き部２０７ｆ（図８参照）が設けられており、切欠き部２０７ｆには、鏡面プレート３１０が接着等により固定されている。
【００４０】
また、固定カム筒２０６の外周部には、径方向外方に突出するフック部２０６ｄが周方向に略等間隔で３カ所設けられている。
【００４１】
保持枠３０１のフック部３０１ａ及び固定カム筒２０６のフック部２０６ｄには、引っ張りばね３０７が掛止され、これにより、保持枠３０１及び固定カム筒２０６は、互いに駆動リング２０７を挟持する方向に付勢される。ここで、引っ張りばね３０７は、本発明の付勢部材の一例に相当する。
【００４２】
このとき、図６に示すように、保持枠３０１のフランジ部３０１ｅの穴部３０１ｂ、及びフランジ部３０１ｆの長穴部３０１ｃがそれぞれ固定カム筒の２本の軸部２０６ｅに挿入される。これにより、保持枠３０１は、光軸と直交する方向への移動及び回転が規制された状態で、固定カム筒２０６に対して光軸方向に移動可能となる。
【００４３】
図５に示すように、固定カム筒２０６には、出力軸にギア４０２が圧入されたステッピングモータ４０１が組み込まれる。また、固定カム筒２０６には、ギア４０２及び駆動リング２０７のギア２０７ｄに噛合するアイドルギア４０３が組み込まれる。
【００４４】
アイドルギア４０３はギアカバー４０４により覆われ、ギアカバー４０４は、固定カム筒２０６を挟み込むようにステッピングモータ４０１のフランジ部にビス等により固定される。
【００４５】
そして、ステッピングモータ４０１を駆動すると、モータ４０１の出力軸の回転がギア４０２からアイドルギア４０３を介してギア２０７ｄに伝達される。これにより、駆動リング２０７は、引っ張りばね３０７により光軸方向被写体側（固定カム筒２０６側）に付勢された状態で、６カ所の摺動部２０７ｂが固定カム筒２０６の当接面２０６ｆに対して摺動しながら回転する。
【００４６】
図１０は、引っ張りばね３０７により駆動リング２０７が固定カム筒２０６側に付勢されている状態の要部断面図である。
【００４７】
図１０に示すように、保持枠３０１には、駆動リング２０７のフェースカム部２０７ｅに対応する凸球状部３０１ｄが周方向に略等間隔で３カ所形成されている。図１０では、凸球状部３０１ｄは、フェースカム部２０７ｅの端面２０７ｅ１に当接している。ここで、凸球状部３０１ｄは、本発明の係合凸部の一例に相当する。
【００４８】
そして、駆動リング２０７が回転すると、保持枠３０１は、前述したように、固定カム筒２０６に対して回転が規制された状態で、凸球状部３０１ｄがフェースカム部２０７ｅの端面２０７ｅ２側に向けて摺動することで光軸方向を撮像素子１０４側に移動する。この保持枠３０１の光軸方向への移動により、合焦動作が行われる。
【００４９】
なお、本実施形態では、図１１に示すように、保持枠３０１の凸球状部３０１ｄが駆動リング２０７のフェースカム部２０７ｅの撮像素子１０４側の端面２０７ｅ２に当接している状態では、保持枠３０１が固定カム筒２０６の端面から突出しないようになっている。
【００５０】
次に、レンズ鏡筒の繰り出し／繰り込み動作、及び合焦動作について説明する。
【００５１】
図１に示すレンズ鏡筒の沈胴状態で不図示のモータを駆動すると、ギア列を介して移動カム筒２０４のギア部に駆動力が伝達される。これにより、移動カム筒２０４は、フォロワピン２０４ａと固定カム筒２０６のカム溝２０６ａとのカム作用により回転しながら光軸方向に繰り出す方向に移動する。また、直進ガイドプレート２０５は、固定カム筒２０６により回転が規制された状態で、移動カム筒２０４とともに光軸方向に移動する。
【００５２】
そして、移動カム筒２０４が光軸方向に繰り出すと、直進ガイドキー２０５ａによって回転が規制された１群鏡筒２０１、２群鏡筒２０３及び絞り・シャッタユニット２０２は、それぞれのフォロワピンが移動カム筒２０４のカム溝に倣って光軸方向に移動する。これにより、レンズ鏡筒は、図２に示すように、ワイド位置（撮影位置）に達する。
【００５３】
レンズ鏡筒がワイド位置に達すると、撮影を開始し、被写体の距離に応じて合焦動作が行われる。
【００５４】
撮影初期状態においては、保持枠３０１の凸球状部３０１ｄは、図１０に示すように、駆動リング２０７のフェースカム部２０７ｅの最も被写体側に位置する面２０７ｅ１に当接している。
【００５５】
この状態で、ステッピングモータ４０１を駆動すると、上述したように、駆動リング２０７は、引っ張りばね３０７により光軸方向被写体側に付勢された状態で、摺動部２０７ｂが固定カム筒２０６の当接面２０６ｆに対して摺動しながら時計回り方向に回転する。これにより、保持枠３０１は、被写体に合焦するまで凸球状部３０１ｄがフェースカム部２０７ｅの端面２０７ｅ２側に向けて斜面を摺動して光軸方向を撮像素子１０４側に移動する。
【００５６】
そして、合焦動作が終了すると、ステッピングモータ４０１の駆動が停止され、被写体を撮影動作が行われる。撮影が完了し、電源がオフされると、上述した合焦動作と逆の動作で保持枠３０１が固定カム筒２０６側に向けて光軸方向に移動して、保持枠３０１の凸球状部３０１ｄが駆動リング２０７のフェースカム部２０７ｅの端面２０７ｅ１に当接する（図１０）。
【００５７】
保持枠３０１が図１０の位置に到達すると、上述した繰り出し動作と逆の動作でレンズ鏡筒の繰り込み動作が開始される。
【００５８】
ここで、レンズ鏡筒の繰り込み動作の途中で、直進ガイドプレート２０５は、図１２に示すように、駆動リング２０７の凸部２０７ｃに当接する。
【００５９】
更にレンズ鏡筒が繰り込まれると、直進ガイドプレート２０５は、引っ張りばね３０７の付勢力に抗して駆動リング２０７を保持枠３０１とともに撮像素子１０４側、即ち、固定カム筒２０６から離れる方向に押し込んでいく。
【００６０】
そして、保持枠３０１が固定カム筒２０６の端面まで到達すると、レンズ鏡筒の繰り込み動作が完了し、図１３に示す沈胴状態となる。
【００６１】
駆動リング２０７及び保持枠３０１が撮像素子１０４側に押し込まれる際には、固定カム筒２０６の端部外周壁により駆動リング２０７及び保持枠３０１が光軸方向にガイドされる。
【００６２】
次に、図１４を参照して、合焦動作時の保持枠３０１、駆動リング２０７、及び固定カム筒２０６の関係について説明する。
【００６３】
図１４（ａ）は、レンズ鏡筒の撮影状態において、保持枠３０１の凸球状部３０１ｄが駆動リング２０７のフェースカム部２０７ｅの撮像素子１０４側の面２０７ｅ２に当接している状態を示す要部断面図である。
【００６４】
ここで、保持枠３０１における駆動リング２０７のフェースカム部２０７ｅの面２０７ｅ１から面２０７ｅ２までの移動量、即ち、合焦動作時の保持枠３０１の光軸方向の移動可能範囲はｚとなる。
【００６５】
図１４（ｂ）は、レンズ鏡筒の沈胴状態において、保持枠３０１の凸球状部３０１ｄが駆動リング２０７のフェースカム部２０７ｅの被写体側の面２０７ｅ１に当接している状態を示す要部断面図である。
【００６６】
図１４（ｂ）の状態では、上述したように、駆動リング２０７は、直進ガイドプレート２０５により引っ張りばね３０７の付勢力に抗して保持枠３０１が固定カム筒２０６の端面に到達するまで保持枠３０１とともに撮像素子１０４側に押し込まれる。このときの押し込み量もｚとなる。
【００６７】
したがって、レンズ鏡筒の沈胴動作時に保持枠３０１の光軸方向の移動可能範囲ｚ分だけレンズ鏡筒の繰り込み量を大きくすることができ、沈胴状態でのレンズ鏡筒の薄型化が可能となる。
【００６８】
次に、固定カム筒２０６側のフォトリフレクタ３０９と駆動リング２０７側の鏡面プレート３１０とを用いた合焦動作のリセット処理について説明する。
【００６９】
レンズ鏡筒の沈胴状態においては、固定カム筒２０６側のフォトリフレクタ３０９と駆動リング２０７側の鏡面プレート３１０とは、径方向に対向しており、この径方向の位置関係は、駆動リング２０７が光軸方向に移動しても維持される。
【００７０】
レンズ鏡筒の繰り出し動作が完了した後、駆動リング２０７が回転して、鏡面プレート３１０がフォトリフレクタ３０９から回転方向に離れると、フォトリフレクタ３０９がこれを検出してリセット待機状態となり、上述した合焦動作が行われる。
【００７１】
そして、撮影が完了して電源がオフされると、駆動リング２０７が逆の方向に回転して鏡面プレート３１０がフォトリフレクタ３０９と再び径方向に対向し、フォトリフレクタ３０９がこれを検出して合焦動作のリセット処理が行われる。
【００７２】
以上説明したように、本実施形態では、レンズユニット１０１〜１０３を光軸方向に移動させる駆動機構とは異なる駆動機構を用いて撮像素子１０４を光軸方向に移動させて合焦動作を行う。このため、合焦動作時の片寄せ動作量を小さくすることができ、合焦動作時において、カメラの背面等に配置された液晶表示部での画像の見栄えを良くすることが可能となる。
【００７３】
また、本実施形態では、駆動リング２０７の回転により撮像素子１０４を光軸方向に移動させて合焦動作を行うため、送りねじ軸の回転により撮像素子を光軸方向に移動させる場合に比べて、駆動機構の構造が簡単となり、レンズ鏡筒の小型化を図ることができる。
【００７４】
なお、本発明の構成は、上記実施形態に例示したものに限定されるものではなく、材質、形状、寸法、形態、数、配置箇所等は、本発明の要旨を逸脱しない範囲において適宜変更可能である。
【００７５】
例えば、上記実施形態では、単焦点式のレンズ鏡筒に本発明を適用した場合を例示したが、ズーム駆動式のレンズ鏡筒に本発明を適用してもよい。
【符号の説明】
【００７６】
１０１〜１０３  レンズユニット
１０４  撮像素子
２０５  直進ガイドプレート
２０６  固定カム筒
２０７  駆動リング
２０７ｅ  フェースカム部
３０１  保持枠
３０１ｄ  凸球状部
３０７  引っ張りばね
４０１  ステッピングモータ
【図１】
0005762097.tif 000002
【図２】
0005762097.tif 000003
【図３】
0005762097.tif 000004
【図４】
0005762097.tif 000005
【図５】
0005762097.tif 000006
【図６】
0005762097.tif 000007
【図７】
0005762097.tif 000008
【図８】
0005762097.tif 000009
【図９】
0005762097.tif 000010
【図１０】
0005762097.tif 000011
【図１１】
0005762097.tif 000012
【図１２】
0005762097.tif 000013
【図１３】
0005762097.tif 000014
【図１４】
0005762097.tif 000015